(57)【要約】【課題】液晶表示パネルのモアレ縞の発生を防止でき、且つ、均一な出射光輝度の面状照明を可能にする。【解決手段】ＬＥＤ６からの光が導光板４の入射面５から入射して導光板４内を伝播し、この伝播の過程において導光板４の出射面１０から出射する光を導光板４の出射面１０に対向するように配置した光制御部材１１で導光板４の出射面１０の法線方向寄りに偏向し、その偏向した光で液晶表示パネル３を照明する。導光板４の裏面７側には、導光板４の入射面５にほぼ直交する方向に延びる突起１５を入射面５に沿って平行に多数形成してある。また、光制御部材１１には、導光板４の入射面５に対して斜めの方向に延びる突起２０を平行に多数形成してある。そして、導光板４の板厚を、入射面５から遠ざかる方向に漸減すると共に、一側面１８から他側面１９側に向かって漸減するようになっている。【選択図】図１
2006134634.tif 000002
【特許請求の範囲】
【請求項１】
側面から入射した光源からの光が、内部を伝播する過程において指向出射性付与手段によって指向出射性を付与され、出射面から所望の指向性をもって出射するようになっている導光板であって、
前記側面が、板厚方向の寸法よりも板厚方向に直交する幅方向の寸法の方が大きい矩形形状になっており、
前記側面から遠ざかる方向に向かうにしたがって板厚を漸減すると共に、前記側面の幅方向の一端側に直交する一側面から遠ざかる方向に向かうにしたがって板厚を漸減することを特徴とする導光板。
【請求項２】
請求項１に記載の導光板と、この導光板の前記出射面に対向するように配置される光制御部材と、を備えたことを特徴とする面光源装置。
【請求項３】
前記光制御部材には、前記導光板の前記側面に対して斜めの方向に延びる断面略三角形状のプリズム状突起が多数形成されたことを特徴とする請求項２に記載の面光源装置。
【請求項４】
前記プリズム状突起は、前記側面から前記一側面に向かって斜めに延びるように形成されていることを特徴とする請求項３に記載の面光源装置。
【請求項５】
前記請求項２乃至４のいずれかに記載の面光源装置と、この面光源装置から出射される光によって照明される被照明部材と、からなることを特徴とする表示装置。
【請求項６】
前記被照明部材が液晶表示パネルであることを特徴とする請求項５に記載の表示装置。
【発明の詳細な説明】
【技術分野】
【０００１】
この発明は、携帯電話，携帯端末装置，電子辞書，携帯ゲーム機，各種電子機器及びパソコン等の被照明部材（例えば、液晶表示パネル）を背面側から照明する面光源装置の導光板、この導光板を使用したバックライトとしての面光源装置、及びこの面光源装置で被照明部材を照明する表示装置に関するものである。
【背景技術】
【０００２】
従来から、図２１に示すように、パソコン等の液晶表示パネル（被照明部材）１０３を背面側から面状に照明する面光源装置１０２は、導光板１０４の出射面１１０と液晶表示パネル１０３との間に光制御部材１１１を配置し、導光板１０４から出射した光を光制御部材１１１を透過させることにより、光の進行方向を光制御部材１１１によって導光板１０４の出射面１１０の法線方向（Ｚ方向）寄りに偏向して、液晶表示パネル１０３を効率的に照明できるようにし、液晶表示パネル１０３の表示面の明るさを増大するようになっている。
【０００３】
すなわち、このような面光源装置１０２は、導光板１０４の裏面１０７側に形成された断面略三角形状のプリズム状の突起１１５であって、入射面１０５に直交する方向（Ｙ方向）に延びる突起１１５が、導光板１０４の入射面１０５に平行で且つ導光板１０４の出射面１１０に直交する仮想平面内において、導光板１０４の内部を伝播する光を導光板１０４の出射面１１０の法線方向寄りに偏向するようになっている。次いで、光制御部材１１１の裏面側に形成された断面略三角形状のプリズム状の突起１２０であって、導光板１０４の入射面１０５にほぼ平行な方向（Ｘ方向）に延びる突起１２０が、導光板１０４の入射面１０５に直交し且つ導光板１０４の出射面１１０に直交する仮想平面内において、導光板１０４の出射面１１０から出射した光を導光板１０４の法線方向に偏向して透過させるようになっている。その結果、液晶表示パネル１０３は、面光源装置１０２から出射する光によって効率的に照明されるようになっている。
【０００４】
しかし、このような面光源装置１０２を使用して液晶表示パネル１０３を背面側から照明すると、上述のように液晶表示パネル１０３の表示面の明るさを増大することができるものの、液晶表示パネル１０３の表示面にモアレ模様のような縞模様が生じ、液晶表示パネル１０３の表示画像が見にくくなるという問題を生じることが知られていた。
【０００５】
そこで、本願出願人は、図２２に示すように、光制御部材１１１のプリズム状の突起１２０を導光板１０４の入射面１０５に対して傾ける（例えば、傾斜角θだけ傾ける）ように構成し、液晶表示パネル１０３の表示面上にモアレ縞のような縞模様が生じるのを防止し得る面光源装置１０２を既に案出している（特許文献１）。
【０００６】
また、図２３に示す面光源装置２０２は、導光板２０４の入射面２０５の厚み方向に延びる突起２１２又は溝２２４を複数形成し、ＬＥＤ２０６からの光を突起２１２又は溝２２４を介して導光板２０４の内部に入射させることにより、ＬＥＤ２０６からの光が導光板２０４内に入射した角度（光が拡がる角度）が、入射面２０５が鏡面である場合の光の拡がり角度よりも大きくなり、導光板２０４の入射面２０５近傍の出射面２１０に生じる略三角形状の暗部（斜線で示す領域）を少なくし、導光板２０４の出射面２１０から出射する照明光の輝度の均一化を図るようになっている（特許文献２）。
【０００７】
【特許文献１】実開平５−２５４２６号公報
【特許文献２】特開２００２−１９６１５１号公報
【発明の開示】
【発明が解決しようとする課題】
【０００８】
しかしながら、例えば図２１及び図２２に示すような面光源装置は、導光板１０４の裏面１０７側にプリズム状の突起１１５が形成され、導光板１０４の指向出射性が強いため、導光板１０４の入射面１０５近傍から光が出射し難く、導光板１０４の入射面１０５近傍からの出射光と導光板の入射面１０５と反対側の面近傍からの出射光とで大きく輝度が異なり、出射光輝度のばらつきを生じるという問題を有している。
【０００９】
また、図２３に示すような導光板２０４の入射面２０５の突起２１２又は溝２２４を、図２２に示すような面光源装置１０２の導光板１０４に適用した場合には、突起２１２又は溝２２４の平面形状（導光板２０４の出射面２１０の法線方向から見た形状）が入射面２０５の法線方向に対して左右対称形状に形成されているにもかかわらず、光制御部材１１１のプリズム形状の突起１２０が導光板１０４の入射面１０５に対して傾けて形成されているため、図２３に示すように、略扇形形状に入射する光の右側端部Ｌ１と左側端部Ｌ２では明るさが相違し、出射光輝度の均一化を図ることが困難であった。
【００１０】
そこで、本発明は、被照明部材としての液晶表示パネルを照明するための照明光の輝度をより一層均一化することができるようにすることを目的とする。
【課題を解決するための手段】
【００１１】
請求項１の発明は導光板に関するものであり、側面から入射した光源からの光が、内部を伝播する過程において指向出射性付与手段によって指向出射性を付与され、出射面から所望の指向性をもって出射するようになっている。この発明の導光板において、前記側面は、板厚方向の寸法よりも板厚方向に直交する幅方向の寸法の方が大きい矩形形状になっている。そして、この発明の導光板は、前記側面から遠ざかる方向に向かうにしたがって板厚を漸減すると共に、前記側面の幅方向の一端側に直交する一側面から遠ざかる方向に向かうにしたがって板厚を漸減するようになっている。
【００１２】
請求項２の発明は面光源装置に関するものであり、請求項１の発明に係る導光板と、この導光板の前記出射面に対向するように配置される光制御部材と、を備えたことを特徴としている。
【００１３】
請求項３の発明は、請求項２の発明における面光源装置の前記光制御部材に特徴を有している。すなわち、前記光制御部材には、前記導光板の前記側面に対して斜めの方向に延びる断面略三角形状のプリズム状突起が多数形成されている。
【００１４】
請求項４の発明は、請求項３の発明における面光源装置の前記光制御部材に特徴を有している。すなわち、前記プリズム状突起は、前記側面から前記一側面に向かって斜めに延びるように形成されている。
【００１５】
請求項５の発明は、前記請求項２乃至４のいずれかの発明に係る面光源装置と、この面光源装置から出射される光によって照明される被照明部材と、からなることを特徴とする表示装置に関するものである。
【００１６】
請求項６の発明は、前記被照明部材が液晶表示パネルであることを特徴とする請求項５に記載の表示装置に関するものである。
【発明の効果】
【００１７】
本発明によれば、入射面近傍における光の出射を促進し、入射面近傍で光が出にくい部分と他部との出射光の明暗の差を少なくすることができるため、出射光全体の輝度のばらつきを少なくすることができ、均一な面状照明が可能になる。
【００１８】
また、本発明によれば、導光板の出射面に対向するように配置される光制御部材を透過した光によって被照明部材としての液晶表示パネルを照明する場合に、モアレ縞の発生を防止できると共に、画像表示面を均一な照明輝度で広範囲に照明できるため、表示画像が見やすくなる。
【発明を実施するための最良の形態】
【００１９】
以下、本発明の最良の形態を図面に基づき詳述する。
【００２０】
［面光源装置及びこれを備えた表示装置の構成］
図１乃至図４は、本実施の形態に係る表示装置１を示すものである。この表示装置１は、面光源装置２によって液晶表示パネル（被照明部材）３を面状に照明するようになっている。
【００２１】
（面光源装置）
面光源装置２は、導光板４と、この導光板４の側面（入射面）５に対向するように複数配置された光源としてのＬＥＤ（発光ダイオード）６と、導光板４の裏面７側に配置された光反射部材８と、導光板４の出射面１０に対向するように配置された光制御部材１１と、を備えている。
【００２２】
この面光源装置２は、ＬＥＤ６からの光を導光板４の入射面５から導光板４の内部に入射させた後、この導光板４の内部を伝播する光のうち導光板４の出射面１０に対する入射角が臨界角以下になった光を導光板４の出射面１０から出射させ、その出射した光を光制御部材１１によって導光板４の出射面１０の法線方向寄りに偏向するようになっている。
【００２３】
（導光板）
導光板４は、ポリメタクリル酸メチル（ＰＭＭＡ）、ポリカーボネート（ＰＣ）、シクロオレフィン系樹脂材料等の光透過性に優れた材料を使用して形成してある。この導光板４は、図１乃至図５に示すように、平面形状が略矩形形状の板状体であり、ＬＥＤ６が配置される入射面５の幅方向（Ｘで示す長手方向）の一端１２側の板厚を最も厚く形成し、入射面５から遠ざかる（Ｙ方向に向かう）にしたがって板厚を漸減する（例えば、傾斜角αで板厚を漸減する）と共に、入射面５に直交する一方の側面（一側面と略称する）１８側から入射面５に直交する他方の側面（一側面１８と対向する他側面）１９側に向かって板厚を漸減する（例えば、傾斜角βで板厚を漸減する）ようになっている。すなわち、導光板４は、その裏面７の最大傾斜方向Ｒが入射面５の最も肉厚の部分である一端１２側から対角線方向寄りになっており、その裏面７の水平面１７に対する最大傾斜角εが最大傾斜方向Ｒに生じるため、入射面５の一端１２側から延びる対角線方向端部１４寄りの板厚が最も薄くなっている。
【００２４】
そして、導光板４の裏面７には、入射面５に対してほぼ直交する方向に延びるプリズム状の突起（指向出射性付与手段）１５を入射面５の長手方向（Ｘ方向）に沿って平行に且つ連続して多数形成してある。このプリズム状の突起１５は、断面略三角形状を呈しており、導光板４の裏面７の入射面５からその対向する端面１６まで全域に渡り形成してある。このプリズム状の突起１５は、導光板４の入射面５に平行で且つ出射面１０に直交する仮想平面内において、ＬＥＤ６からの光を導光板４の出射面１０の法線方向寄りに偏向するようになっている。
【００２５】
ここで、指向出射性付与手段は、出射面１０から出射する光が所望の指向性をもって出射するように、内部を伝播する光に指向出射性を付与するものであるかぎり、上述のように、導光板４の裏面７に形成した突起１５であって、入射面５に対してほぼ直交する方向に延びるプリズム状の突起１５に限定されず、導光板４の出射面１０に形成した突起であって、入射面５に対してほぼ直交する方向に延びるプリズム状の突起や、導光板４の裏面７及び出射面１０に形成した突起であって、入射面５に対してほぼ直交する方向に延びるプリズム状の突起でもよい。また、指向出射性付与手段は、出射面１０から出射する光が所望の指向出射性を維持することができる程度に、導光板４の裏面７及び／又は出射面１０に形成した粗面であってもよい。また、指向出射性付与手段は、導光板４の裏面７及び／又は出射面１０に形成した出射促進パターンであって、出射面１０から出射する光が所望の指向出射性を維持することができる程度に形成したものでもよい。なお、出射促進パターンとしては、半球状、角錐状、円錐状等の突起又は凹みが考えられる。また、ここで、指向出射性とは、光がランダムに拡散されて導光板４から出射する状態と異なり、光が特定の出射角度方向寄りに多く出射することをいう。また、指向出射成付与手段としては、導光板４内に出射指向性を乱さない量の散乱子を含み、この散乱子によって光を内部散乱させて指向出射させる態様をも含むものである。
【００２６】
図５に基づいて、上述の導光板４の裏面７の最大傾斜方向Ｒと導光板４の一側面１８とのなす角（最大傾斜方向角）をδとすると、最大傾斜方向角δが数式１で表され、最大傾斜角εが数式２で表される。
【００２７】
【数１】
2006134634.tif 000003
【００２８】
【数２】
2006134634.tif 000004
以上のようにして決定される最大傾斜方向角δ及び最大傾斜角εは、光制御部材１１の突起２０の傾斜角θや求められる出射光特性に応じて、最適の数値が設定される。
【００２９】
図６は、このような導光板４の作用を説明するための図である。この図６（ａ），（ｂ）に示すように、導光板４の入射面５の薄肉側（Ｂ側）から入射した光のうち、入射面５と平行方向に広がる光は、薄肉側（Ｂ側）から厚肉側（Ａ側）に導光されやすくなる。そして、導光板４の一側面１８側へ導かれた光は、導光板４の出射促進手段（例えば、突起１５）の作用により、入射面５側近傍で且つ一側面１８側近傍から出射したり、また、一側面１８から外部に出射してフレーム等の反射部材で反射されて導光板４の内部に再入射し、入射面５側近傍で且つ一側面１８側近傍から出射し、従来では出射しにくくかった部分での出射が促される。また、図６（ａ），（ｃ）に示すように、導光板４の他側面１９側は、一側面１８側よりも薄くなっているため、入射面５から入射した光のうち、入射面５の反対側に位置する端面１６に向かう光が導光板４の出射面１０と裏面７とで反射される回数が導光板４の一側面１８側を伝播する光の反射回数よりも多くなり、入射面５近傍で出射する光が多くなり、従来では出射しにくくかった部分での出射が促される。その結果、本実施の形態の導光板４は、出射面１０全体から出射する光の出射光輝度の均一化を図ることが可能となる。
【００３０】
（光制御部材）
光制御部材１１は、光透過性に優れた樹脂材料（例えば，ポリエチレンテレフタレート（ＰＥＴ）、ＰＭＭＡ、ＰＣ）でフィルム状に形成してあり、図１乃至図４に示すように、平面形状が導光板４の出射面１０とほぼ同様の矩形形状になるように形成してある。そして、この光制御部材１１は、その導光板４の出射面１０に対向する側（図１及び図４の下面側）に、導光板４の入射面５に対して傾斜角θで斜めの方向に延びる（入射面５から一側面１８に向かって傾斜角θで右肩上がりに延びる）プリズム状の突起２０を、平行に且つ連続して多数形成してある（図２参照）。この光制御部材１１のプリズム状の突起２０は、断面略三角形状に形成してあり、導光板４の入射面５に直交し且つ出射面１０に直交する仮想平面内において、導光板４の出射面１０から出射する光を導光板４の出射面１０の法線方向寄りに偏向するように機能する。
【００３１】
なお、図１乃至図４に示す光制御部材１１は、プリズム状の突起２０の傾斜方向が、導光板４の入射面５に対して右肩上がり方向のものであるが、これに限られず、導光板４の入射面５に対して左肩上がり方向のプリズム状の突起２０を備えた光制御部材１１（図１９参照）や、導光板４の入射面５に対して平行に延びるプリズム状の突起２０を備えた光制御部材１１（図２０）の使用が考えられる。このうち、導光板４の入射面５に対して右肩上がり方向に傾斜するプリズム状の突起２０が形成された光制御部材１１を使用する面光源装置２を第１態様とし（図２参照）、導光板４の入射面５に対して左肩上がり方向に傾斜するプリズム状の突起２０が形成された光制御部材１１を使用する面光源装置２を第２態様とし（図１９参照）、導光板４の入射面５に対して平行に延びるプリズム状の突起２０が形成された光制御部材１１を使用する面光源装置２を第３態様とする（図２０参照）。
【００３２】
（光反射部材）
光反射部材８は、白色の顔料を混ぜてシート状にした光反射性に優れたＰＥＴシートや、アルミニウム等の光反射性に優れた金属をシート状樹脂部材（例えば、ＰＥＴシート）の表面に蒸着したフィルム状部材であり、図１，図３及び図４に示すように、平面形状が導光板４の裏面７とほぼ同様の矩形形状になっている。この光反射部材８は、導光板４の裏面７側から出射する光を反射して導光板４内部に戻すように機能する。尚、光反射部材８は、導光板４が収容される筐体（図示せず）の内部を光反射性に優れた表面（白色化した表面）とし、その光反射機能を備えた筐体自体を光反射部材としてもよい。また、この光反射部材８は、銀やアルミニウムの鏡面反射部材でもよい。
【００３３】
［出射光輝度の測定結果］
図７乃至図９は、本発明が適用された第１態様（図１乃至図４参照）の面光源装置２の出射光輝度の分布を測定した結果を示すものである。また、図１０乃至図１２は、本発明が適用された第２態様（図１９参照）の面光源装置２の出射光輝度の分布を測定した結果を示すものである。また、図１３乃至図１５は、本発明が適用された第３態様（図２０参照）の面光源装置２の出射光輝度の分布を測定した結果を示すものである。これらに対し、図１６乃至図１８は、図２２に示す従来の面光源装置１０２の出射光輝度の分布を測定した結果を示すものである。
【００３４】
図７、図１０、図１３、図１６は、面光源装置２，２，２，１０２の光制御部材１１，１１，１１，１１１の出射面２１，２１，２１，１２１を模式的に示すと共に、その出射面２１，２１，２１，１２１の９箇所の出射光輝度を表している。すなわち、導光板４，４，４，１０４の入射面５，５，５，１０５に沿ったＸ方向（横方向）にほぼ等間隔の３箇所の測定ポイントで、且つ、導光板４，４，４，１０４の入射面５，５，５，１０５に直交するＹ方向（縦方向）の入射面５，５，５，１０５近傍と中央部と端面１６，１６，１６，１１６近傍の３箇所の測定ポイントの合計９測定ポイントが決定されている。なお、平均出射光輝度は、図７、図１０、図１３、図１６において、各エリア毎の出射光輝度値の相加平均である。また、出射光輝度は、各測定のポイントにおいて、出射面１０，１０，１０，１１０の法線方向から測定した光制御部材１１，１１，１１，１１１上での輝度（ｃｄ／ｍ２）である。
【００３５】
また、図８、図１１、図１４、図１７は、面光源装置２，２，２，１０２の光制御部材１１，１１，１１，１１１の出射面２１，２１，２１，１２１から出射される光の出光輝度分布（図７、図１０、図１３、図１６の出射光輝度分布）を立体的に示す図であり、０−５００乃至３５００−４０００の各出射光輝度域毎に模様パターンを代えて立体的に表したものである。なお、図８、図１１、図１４、図１７において、ＬＥＤと記載されている側が導光板４，４，４，１０４の入射面５，５，５，１０５側であり、３軸座標のＸ軸が導光板４，４，４，１０４の入射面５，５，５，１０５に沿った方向に対応し、Ｙ軸が導光板４，４，４，１０４の入射面５，５，５，１０５に直交する方向に対応し、Ｚ軸が導光板４，４，４，１０４の出射面１０，１０，１０，１１０の法線方向に対応し、Ｚ軸方向の５００刻みの０〜４０００までの数値が出射光輝度を表している（図１、図２、図１９、図２０、図２２参照）。
【００３６】
また、図９、図１２、図１５、図１８は、図８、図１１、図１４、図１７に示した立体的な出射光輝度分布を平面的に表したものである。
【００３７】
また、上述の図７乃至図９に示す第１形態の面光源装置２と図１０乃至図１２に示す第２形態の面光源装置２は、図２と図１９に示すように、光制御部材１１のプリズム状の突起２０の傾斜方向が逆である点を除き、基本的構成が共通している。すなわち、第１形態の面光源装置２は、図２に示すように、導光板４の入射面５に対して、光制御部材１１のプリズム状の突起２０の傾き方向が右肩上がりとなるように構成されている。これに対し、第２形態の面光源装置２は、図１９に示すように、導光板４の入射面５に対して、光制御部材１１のプリズム状の突起２０の傾き方向が左肩上がりとなるように構成されている。
【００３８】
また、図１３乃至図１５に示す第３形態の面光源装置２は、図２０に示すように、光制御部材１１のプリズム状の突起２０が導光板４の入射面５に沿った方向（Ｘ方向）に形成されている点を除き、基本的構成が第１形態及び第２形態の面光源装置２と同様である。
【００３９】
なお、図２、図１９及び図２０において、導光板４の入射面５の右端部（一端１２）が最も板厚が厚い部分であり、その入射面５の右端部側の一側面１８から入射面５の長手方向（Ｘ方向）に向かうにしたがって板厚を漸減すると共に、入射面５から端面１６方向（Ｙ方向）に向かうにしたがって板厚を漸減するようになっている。
【００４０】
これに対し、図１６乃至図１８、図２２に示す面光源装置１０２は、導光板１０４の板厚を入射面１０５に直交する方向（Ｙ方向）に向かうに従って傾斜角αで漸減するようになっているが、導光板１０４の板厚を入射面１０５に沿った方向（Ｘ方向）に向かうにしたがって漸減するようになっていない。そして、図１６乃至図１８に示す面光源装置１０２は、光制御部材１１１のプリズム状の突起１２０の傾き方向が右肩上がりとなるように構成されている（図２２参照）。
【００４１】
第１態様（図７乃至図９）、第２態様（図１０乃至図１２）、第３態様（図１３乃至図１５）及び従来例（図１６乃至図１８）を比較すると、平均出射光輝度は、第１態様、第２態様及び第３態様よりも従来例の方が僅かに高い。しかし、第１態様、第２態様及び第３態様は共に出射面２１の中央部分に同一出射光輝度域（平均出射光輝度よりも遙かに高い出射光輝度域（２５００−３０００））２２が広い範囲で存在するのに対し、従来例は出射面１２１の中央部分に同一出光輝度域（２５００−３０００）１２２が狭い範囲で存在するのみであり、且つ出射光輝度のばらつきが大きい。また、従来例は、図１６に示すように、ＬＥＤ（下）側の左右両端部側に極端に光が到達しにくい領域が生じる。これに対し、第１態様、第２態様及び第３態様は、図７、図１０及び図１３に示すように、ＬＥＤ（下）側の左右両端部側の光が到達しにくい部分の出射光輝度を高めることができる。
【００４２】
その結果、面光源装置２，２，２，１０２を液晶表示パネル３，３，３，１０３のバックライトとして使用する場合、第１態様乃至第３態様の面光源装置２，２，２は、従来例の面光源装置１０２よりも均一な輝度の光で広範囲に照明することが可能になる。したがって、第１態様乃至第３態様の面光源装置２，２，２を使用した表示装置１は、液晶表示パネル３の表示画像が従来例の面光源装置１０２を使用した場合よりも見やすいものになる。
【００４３】
第１態様と第２態様を比較した場合、平均出射光輝度の値は第１態様の方が第２態様よりも高く、出射光の輝度分布は第１態様及び第２態様ともほぼ同様の値になっている。ここで、輝度分布は、９箇所の測定点における出射光輝度のうち、最低値を最大値で除した数値であり、出射光輝度のばらつき具合を知ることができる数値である。このような比較結果から、第１態様の面光源装置２は、第２態様の面光源装置２よりも高輝度で均一な面状照明が可能になる。しかし、第２態様は、従来例に比較して輝度分布の数値が遙かに優れており、従来例よりも遙かに均一な面状照明が可能になる。
【００４４】
また、第３態様は、第１態様及び第２態様と比較した場合、平均出射光輝度が他の態様よりも大きく、輝度分布の数値が第１態様及び第２態様よりも僅かに小さい。しかし、第３態様は、従来例に比較して輝度分布の数値が遙かに優れており、従来例よりも遙かに均一な面状照明が可能になる。したがって、第３態様の面光源装置２は、液晶表示パネル３を照明した際に、モアレ縞の発生が問題とならない場合に使用することができ、高輝度で且つ均一な面状照明が可能になる。一方、第１態様及び第２態様の面光源装置２は、光制御部材のプリズム状の突起が導光板の入射面に対して傾けて形成されているため、モアレ縞の発生を問題にすることなく、均一な面状照明が可能になる。
【産業上の利用可能性】
【００４５】
本発明の面光源装置は、被照明部材として液晶表示パネルを使用する表示装置のみならず、室内照明装置や広告プレートの面状光源として広く使用することが可能である。
【図面の簡単な説明】
【００４６】
【図１】（ａ）は本発明を適用した第１態様の面光源装置及びこれを備えた表示装置の分解斜視図であり、（ｂ）は（ａ）のＡ部を拡大して示す図であり、（ｃ）は（ａ）のＢ部を拡大して示す図である。
【図２】本発明を適用した第１態様の面光源装置の平面図である。
【図３】（ａ）は図３のＣ１−Ｃ１線に沿って切断して示す断面図であり、（ｂ）は（ａ）のＤ部を拡大して示す図である。
【図４】（ａ）は図３のＣ２−Ｃ２線に沿って切断して示す断面図であり、（ｂ）は（ａ）のＥ部を拡大して示す図である。
【図５】（ａ）は導光板の斜視図であり、（ｂ）は（ａ）のＦ部を拡大して示す図であり、（ｃ）は（ａ）のＣ３−Ｃ３方向に沿って切断して示す拡大図である。
【図６】（ａ）は導光板の作用を説明するための外観斜視図であり、（ｂ）は導光板の入射面を入射面に直交する方向から見た光の伝播状態を模式的に示す図、（ｃ）は導光板の一側面に直交する方向から見た光の伝播状態を模式的に示す図である。
【図７】第１態様の光制御部材の出射面における出射光輝度を９箇所の各エリア毎に数値で示す図である。
【図８】図７の出射光輝度分布を立体的に示した図である。
【図９】図８の出射光輝度分布を平面的に示した図である。
【図１０】第２態様の光制御部材の出射面における出射光輝度を９箇所の各エリア毎に数値で示す図である。
【図１１】図１０の出射光輝度分布を立体的に示した図である。
【図１２】図１１の出射光輝度分布を平面的に示した図である。
【図１３】第３態様の光制御部材の出射面における出射光輝度を９箇所の各エリア毎に数値で示す図である。
【図１４】図１３の出射光輝度分布を立体的に示した図である。
【図１５】図１４の出射光輝度分布を平面的に示した図である。
【図１６】従来の光制御部材の出射面における出射光輝度を９箇所の各エリア毎に数値で示す図である。
【図１７】図１６の出射光輝度分布を立体的に示した図である。
【図１８】図１７の出射光輝度分布を平面的に示した図である。
【図１９】本発明を適用した第２態様の面光源装置の平面図である。
【図２０】本発明を適用した第３態様の面光源装置の平面図である。
【図２１】第１従来例を示す面光源装置の分解斜視図である。
【図２２】第２従来例を示す面光源装置の分解斜視図である。
【図２３】第３従来例を示す面光源装置の平面図であり、（ａ）が全体平面図、（ｂ）が一部を拡大して示す平面図である。
【符号の説明】
【００４７】
１……表示装置、２……面光源装置、３……液晶表示パネル（被照明部材）、４……導光板、５……入射面（側面）、６……ＬＥＤ（光源）、１０……出射面、１１……光制御部材、１２……一端、１５……突起（指向出射性付与手段）、１８……一側面、２０……突起
【図１】
2006134634.tif 000005
【図２】
2006134634.tif 000006
【図３】
2006134634.tif 000007
【図４】
2006134634.tif 000008
【図５】
2006134634.tif 000009
【図６】
2006134634.tif 000010
【図７】
2006134634.tif 000011
【図８】
2006134634.tif 000012
【図９】
2006134634.tif 000013
【図１０】
2006134634.tif 000014
【図１１】
2006134634.tif 000015
【図１２】
2006134634.tif 000016
【図１３】
2006134634.tif 000017
【図１４】
2006134634.tif 000018
【図１５】
2006134634.tif 000019
【図１６】
2006134634.tif 000020
【図１７】
2006134634.tif 000021
【図１８】
2006134634.tif 000022
【図１９】
2006134634.tif 000023
【図２０】
2006134634.tif 000024
【図２１】
2006134634.tif 000025
【図２２】
2006134634.tif 000026
【図２３】
2006134634.tif 000027